(57)【要約】【課題】製造コスト、消費電力、運転騒音を抑制することができるとともに、傘の長さに関わらず水飛散を抑えることができる衛生的な傘除水機を得ること。【解決手段】傘除水機１は、本体４に設けられた開口部７から閉じた状態で挿入される傘１０を収容する除水室８と、除水室に設けられ傘の露先１０ｆ側から石突１０ｃ側に向かって突出し傘の傘布の内側に挿入される遮蔽板１５と、除水室であって傘の中棒１０ａよりも遮蔽板側に設けられ、傘の石突側から傘の露先側に向かってエアーの噴出するエアー噴出部１４と、を備える。【選択図】図２
2011252664.tif 000002
【特許請求の範囲】
【請求項１】
本体に設けられた開口部から閉じた状態で挿入される傘を収容する除水室と、
前記除水室に設けられ前記傘の露先側から石突側に向かって突出し前記傘の傘布の内側に挿入される遮蔽板と、
前記除水室であって前記傘の中棒よりも前記遮蔽板側に設けられ、前記傘の石突側から前記傘の露先側に向かってエアーの噴出するエアー噴出部と、を備えることを特徴とする傘除水機。
【請求項２】
前記開口部は、上下に細長い形状で、長手方向に幅が異なり、前記石突側に向かって幅が狭くなることを特徴とする請求項１に記載の傘除水機。
【請求項３】
前記遮蔽板は、前記除水室の内壁から突出し、先端側に向けて細くなる形状であることを特徴とする請求項１または２に記載の傘除水機。
【請求項４】
前記遮蔽板は、先端側が前記開口部に向って傾斜して設けられていることを特徴とする請求項１〜３のいずれか１つに記載の傘除水機。
【請求項５】
前記遮蔽板は、突出方向に垂直な断面形状が円弧形状であることを特徴とする請求項１〜４のいずれか１つに記載の傘除水機。
【請求項６】
前記本体には、前記エアー噴出部から噴出されるエアーの流れに前記傘の露先よりも下流で対向するエアー対向面が形成され、
前記遮蔽板は、前記エアー対向面に設けられていることを特徴とする請求項１〜５のいずれか１つに記載の傘除水機。
【請求項７】
前記除水室に設けられ前記傘の石突部を保持する石突保持部と、
前記石突保持部を回転駆動させる駆動手段と、をさらに備えることを特徴とする請求項１〜６のいずれか１つに記載の傘除水機。
【発明の詳細な説明】
【技術分野】
【０００１】
本発明は、傘布に付着した水滴をエアーで除去する傘除水機に関する。
【背景技術】
【０００２】
近年、傘布に付着した水滴をエアーで除去する傘除水機が利用されている。雨の日に建物の中に入る際に傘除水機を利用すれば、建物内で傘から水滴が垂れにくくなり、大変便利である。
【０００３】
このような傘除水機は、閉じた傘の傘布おもて面にエアーを吹き付けて水滴を除去する。しかし、傘が閉じた状態において傘布はたるんだ状態となっている。傘布のたるみの重なりがあると、その部分にはエアーが行き届かず水滴が残りがちになってしまう。このため、エアーによる水滴除去の際に、傘布のたるみの重なりを解消する必要がある。
【０００４】
また、傘を挿入するために傘除水機に広い開口部が設けられている場合、エアーによる水滴除去の際に、水滴が開口部から周囲に飛散し床などを濡らしてしまう。このため、傘除水機内部で水滴を確実に遮断する必要がある。
【０００５】
傘布のたるみの重なりの解消について、例えば特許文献１に開示のものは、閉じた傘の傘布内側に向かって、圧搾エアーを送り込める位置に設けられた第１の吹出口、および該傘布外側に対して、圧搾エアーを吹き付ける位置に設けられた第２の吹出口を有し、上記両吹出口に圧搾エアーを送る送風手段と、を備えており、空気を送風するブロアの送風口から分岐して、第１ノズルと第２ノズルに至る２本のダクトを有する。
【０００６】
両ダクトを通じてエアーが送られ、内側ノズルおよび外側ノズルから圧搾エアーが吹き出される。このとき、内側ノズルから吹き出されるエアーは、閉じられた傘の傘布内側に吹き込まれるから、傘の傘布はやや開いた状態になる。そして、外側ノズルからは、やや開いた状態の傘布の外側に向けて勢いよくエアーが吹き付けられる。
【０００７】
この結果、やや開いた傘の傘布外側に付着している雨滴は、外側ノズルから吹き出される勢いのよいエアーにより傘布表面から吹き飛ばされる。すなわち、内側ノズルからのエアー吹出により傘布をやや開いた状態にしつつ外側ノズルから傘布外側にエアーを吹き付けるので、エアーがまんべんなく傘布に吹き付けられ、傘布表面に付着した雨滴を十分に除去することができる。
【０００８】
また、開口部からの水滴飛散の解消について、本体の開口部には除水時の水滴を遮断するために、箱体上面に、閉じられた傘の外観に類似したテーパー状の開口部が形成されるように雨滴飛散防止板が備えられている。
【先行技術文献】
【特許文献】
【０００９】
【特許文献１】特開平４−２８９９１号公報
【発明の概要】
【発明が解決しようとする課題】
【００１０】
しかしながら、このような傘除水機では、エアーの送風系統として、傘布のたるみを広げるための系統と水滴を除去するための系統の２系統が必要となる。したがって、それぞれの系統でノズルやダクトが必要となり、構造が複雑化する。構造の複雑化により製造コストやメンテナンスコストが増大する。
【００１１】
また、傘布のたるみを広げるための系統と水滴を除去するための２系統分のエアーが必要であるため、必要風量が増大し、送風機が大型化する。送風機の大型化により消費電力や送風機の運転音が増大する。
【００１２】
また、水滴飛散防止板がテーパー状のため短い傘を挿入した場合は、傘の露先側の傘布端部には除水空間が開口するため、除水時に開口部から水滴が飛散する。
【００１３】
本発明は、上記に鑑みてなされたものであって、遮蔽板で傘布のたるみを広げることで、送風系統を複雑化せずに除水性能を向上させ、製造コスト、消費電力、運転騒音を抑制することもできる傘除水機を得ることを目的とする。
【００１４】
さらに、遮蔽板で水滴を遮断することで、傘の長さに関わらず水飛散を抑えることができる衛生的な傘除水機を得ることを目的とする。
【課題を解決するための手段】
【００１５】
上述した課題を解決し、目的を達成するために、本発明は、本体に設けられた開口部から閉じた状態で挿入される傘を収容する除水室と、除水室に設けられ傘の露先側から石突側に向かって突出し傘の傘布の内側に挿入される遮蔽板と、除水室であって傘の中棒よりも遮蔽板側に設けられ、傘の石突側から傘の露先側に向かってエアーの噴出するエアー噴出部と、を備えることを特徴とする。
【発明の効果】
【００１６】
本発明によれば、箱体内面に設けた遮蔽板によって傘布のたるみを広げることで、送風系統を複雑化せずに除水性能を向上させることができる。また、送風機系統が複雑化しないため、傘除水機の製造コスト、消費電力、運転騒音を抑えることができる。さらに、遮蔽板で水滴を遮断することで、傘寸法の長短にかかわらず水飛散を確実に防止することで、衛生性が向上する。
【図面の簡単な説明】
【００１７】
【図１】図１は、本発明の実施の形態１に係る傘除水機の横断面図である。
【図２】図２は、図１に示す傘除水機の横断面図において、傘が挿入された状態を示す図である。
【図３】図３は、傘除水機を取出し開口側から見た正面図である。
【図４】図４は、図３に示す傘除水機の正面図において、比較的長い傘１０が挿入された状態を示す図である。
【図５】図５は、図３に示す傘除水機の正面図において、比較的短い傘１０が挿入された状態を示す図である。
【図６】図６は、傘除水機の上面図である。
【図７】図７は、図３に示すＡ−Ａ線に沿った矢視断面図であり、遮蔽板の断面を示す図である。
【図８】図８は、図３に示すＢ−Ｂ線に沿った矢視断面図であり、遮蔽板の断面を示す図である。
【図９】図９は、ノズルから噴出されたエアーの流れを説明するための図である。
【図１０】図１０は、図１に示すＣ−Ｃ線に沿う矢視断面図である。
【図１１】図１１は、本発明の実施の形態２に係る傘除水機の石突保持部部分を拡大した部分拡大断面図である。
【発明を実施するための形態】
【００１８】
以下に、本発明の実施の形態に係る傘除水機を図面に基づいて詳細に説明する。なお、この実施の形態によりこの発明が限定されるものではない。
【００１９】
実施の形態１．
図１は、本発明の実施の形態１に係る傘除水機の横断面図である。図２は、図１に示す傘除水機の横断面図において、傘が挿入された状態を示す図である。傘除水機１は、本体４、ブロワ（送風手段）３を有して大略構成されている。
【００２０】
傘除水機１によって水滴を除去される傘１０は、例えば、中棒１０ａ、手元（持ち手部）１０ｂ、石突１０ｃ、親骨１０ｄ、傘布１０ｅを有して構成される。中棒１０ａは、その両端に手元１０ｂと石突１０ｃとが取り付けられて、傘１０の中心に位置する軸部材である。
【００２１】
手元１０ｂは、傘１０の利用者が持つ持ち手部分である。石突１０ｃは、傘１０の先端に取り付けられて傘布１０ｅをまとめる機能を有する。親骨１０ｄは、中棒１０ａの石突１０ｃ近傍に複数本軸支されている。傘布１０ｅは、親骨１０ｄの間を覆う布状の部材である。親骨１０ｄの先端（自由端）側を露先１０ｆという。なお、傘１０の開閉機構等についての詳細な説明は省略する。
【００２２】
本願において、傘布１０ｅのおもて面とは、傘１０を差した場合に雨を受ける面のこと、傘１０を閉じた状態においては外側を向く面のことをいう。傘布１０ｅの裏面とは、おもて面とは反対側の面のことをいう。また傘１０の内側とは、閉じた状態の傘１０において傘布１０ｅに囲まれた領域のことをいう。
【００２３】
本体４は、傘除水機１の全体を覆う筐体としての機能を有する。本体４は、薄板状の板金または樹脂等で構成される。本体４の側面には、後述する除水室８に傘１０を挿入したり、取り出したりするための取出し開口（開口部）７が形成されている。
【００２４】
取り出し開口７は、傘１０の中棒１０ａと略垂直な方向に傘１０を挿入できるように、傘１０を側方から見た投影形状に概ね沿う形状を呈している。より具体的には、取り出し開口７は、傘の中棒１０ａに沿った細長い形状で、長手方向に幅が異なるように形成され、挿入される傘１０の石突１０ｃ側に向かって幅が狭くなっている。本実施の形態１では、中棒１０ａを地面に略垂直な状態にして傘１０を挿入するので、取り出し開口７は、上下に細長い形状となっている。
【００２５】
本体４の内部は、除水室８、送気室９を有して構成されている。除水室８は、取出し開口７から挿入された閉じた状態の傘１０を収容するための空間である。除水室８の内部であって、下方には石突保持部１１が設けられている。石突保持部１１は、取出し開口７から挿入された傘１０の石突１０ｃを収容して回転可能に保持する。
【００２６】
石突保持部１１は、傘１０を垂直に保持するように円筒形状で形成されている。傘１０をより円滑に回転可能にするため、石突保持部１１の下部は回転軸１２で支持されている。回転軸１２の下部には運転スイッチ２５が設けられており、利用者が傘１０の石突１０ｃを石突保持部１１に挿入すると石突保持部１１の荷重を検知して運転スイッチ２５が動作して運転状態になる。除水作業を終えて利用者が傘１０を石突保持部１１から抜くと荷重が除去されるため運転スイッチ２５が解除されて運転が停止する。
【００２７】
なお、運転スイッチ２５は石突保持部１１の石突１０ｃの有無を検知すれば良く、荷重を検知するセンサーのほか、石突１０ｃの接触を検知するリミットスイッチや光センサーであっても良い。
【００２８】
除水室８と送気室９との間にはノズル（エアー噴出部）１４が形成されている。ノズル１４は除水室８と送気室９とを連通させる楕円形の開口を構成する。送気室９内のブロワ３（後に詳説）から吐出されたエアーが、ノズル１４を介して除水室８内に噴出されるようになっている。
【００２９】
傘除水機１の消費電力を抑制するため、ノズル１４は一箇所に配設されることが好ましいが、消費電力等の制約がなければ複数個所に配設されても良い。
【００３０】
ノズル１４は、石突保持部１１よりも除水室８側に配設されている。このため、取出し開口７の平面に平行で、傘１０の中心軸１０ｇを通る平面よりも除水室８側に位置する傘布１０ｅに対して、エアーによる除水が行われる。
【００３１】
図３は、傘除水機１を取出し開口７側から見た正面図である。図４は、図３に示す傘除水機１の正面図において、比較的長い傘１０が挿入された状態を示す図である。図５は、図３に示す傘除水機１の正面図において、比較的短い傘１０が挿入された状態を示す図である。ここで、比較的長い傘１０は、除水室８に収容した場合に、天板５の内側面６と露先１０ｆとの間にほとんど隙間ができない傘１０をいう。また、比較的短い傘１０とは、比較的長い傘１０よりも短く、除水室８に収容した場合に、天板５の内側面６と露先１０ｆとの間にかなりの隙間ができる傘１０をいう。
【００３２】
図６は、傘除水機１の上面図である。図７は、図３に示すＡ−Ａ線に沿った矢視断面図であり、遮蔽板１５の断面を示す図である。図８は、図３に示すＢ−Ｂ線に沿った矢視断面図であり、遮蔽板１５の断面を示す図である。
【００３３】
遮蔽板１５は、本体４の天板５の内側面６から石突保持部１１側に向けて延出形成される。すなわち、除水室８に収容された傘１０の露先１０ｆ側から石突１０ｃ側に向くように延出形成される。また、遮蔽板１５は、取出し開口７に向かって傾斜するように形成される。
【００３４】
また、遮蔽板１５は、傘１０が使用状態で除水室８内に立設される状態において、傘布１０ｅの内側に挿入される位置に形成される。また、図４，５に示すように、比較的長い傘１０を除水室８に収容した場合も、比較的短い傘１０を除水室８に収容した場合も、傘布１０ｅの内側に挿入される長さで形成される。
【００３５】
遮蔽板１５は、傘布１０ｅの内側に挿入しやすいように、石突保持部１１に向かうほど横幅が小さくなる略テーパー形状で形成され、傘布１０ｅに引っ掛らないようにその先端が曲線で形成されている。遮蔽板１５は、図７，８に示すように、除水室８側に中央が凸の円弧状となる断面形状となっている。
【００３６】
傘布１０ｅが挿入された状態で傘１０を手で回転させる使用状態においては、遮蔽板１５が円弧状に形成されているため、遮蔽板１５が親骨１０ｄに引っ掛かりにくくなる。また、遮蔽板１５が円弧状に形成されていることで、手元１０ｂを回す際に手元１０ｂや手で邪魔になりにくく、回転動作を妨げにくくなる。
【００３７】
ノズル１４から傘１０に対してエアーが噴出されると、エアーによって親骨１０ｄと傘布１０ｅが内側に押し付けられる力が働く。しかし、傘１０の内側に挿入された遮蔽板１５によって傘１０の親骨１０ｄが支えられるとともに、遮蔽板１５の円弧状断面形状によって隣り合う親骨１０ｄ間が広げられる作用があるため、傘布１０ｅが内側に入り込んだり、傘布１０ｅが重なったりしにくくなり、最適な除水状態が維持されやすくなる。
【００３８】
また、濡れた傘１０にエアーが吹き付けられるとエアーの風圧で傘布１０ｅがばたつく。この際、傘布１０ｅの上端部から取出し開口７の方向に飛散する水滴も存在する。遮蔽板１５は、本体４の正面から見て除水室８側にある傘布１０ｅを遮蔽する位置にあるため、傘布１０ｅから飛散する水滴は、遮蔽板１５のうち除水室８側の内面に付着し、取出し開口７から本体４の外側に水滴が飛散するのを抑えることができる。
【００３９】
図９は、ノズル１４から噴出されたエアーの流れを説明するための図である。ノズル１４は、ブロワ３から吐出されたエアーを傘１０の石突１０ｃ側から噴出し、石突１０ｃ側から露先１０ｆ側に向くエアーの流れ（矢印Ｘの流れ）を発生させる。ノズル１４から噴出されたエアーは、傘布１０ｅのおもて面に付着した水滴を吹き飛ばしながら（除去しながら）石突１０ｃ側から露先１０ｆ側に向かって流れる。
【００４０】
本体４のうち、天板５の内側面（エアー対向面）（エアー誘導部）６はエアー対向面としての機能を有する。内側面６は、傘１０の露先１０ｆよりも下流に位置する面である。内側面６は、傘布１０ｅのおもて面に付着した水滴を吹き飛ばした後のエアーの流れに対向する。内側面６に衝突したエアーは衝突点を中心に内側面６に沿って放射状に拡散する。拡散した流れの一部（矢印Ｙの流れ）は、傘１０の中心軸１０ｇに向かって流れる。 
【００４１】
内側面６には、遮蔽板１５が立設されている。遮蔽板１５のうち矢印Ｙの流れが衝突する誘導面（エアー誘導部）１５ａは、内側面６から傘１０の内側に向けて延びている。したがって、傘１０の中心軸１０ｇに向かうエアーは遮蔽板１５の誘導面１５ａによって向きを変えられて、傘１０の内側に導かれる（矢印Ｚの流れ）。つまり、誘導面１５ａは内側面６と協働して、傘布１０ｅの水滴を除去したエアーの流れを傘１０の内側に導く。
【００４２】
なお、遮蔽板１５の先端と傘１０の中心軸１０ｇとの距離は１００ｍｍ以下となっている。一般的に、中心軸１０ｇから露先１０ｆまでの距離は１００ｍｍ以上である傘が多い。したがって、遮蔽板１５の先端位置が、中心軸１０ｇから１００ｍｍとなる地点から中棒１０ａとの間であれば、傘１０の種類にかかわらずほとんどの傘１０の内側にエアーを導くことができる。
【００４３】
除水室８内には、排水タンク１６が配置されている。ノズル１４から噴出されたエアーによって傘布１０ｅから吹き飛ばされた水滴は除水室８内の側壁面に付着、流下し、流下した水滴は、排水タンク１６に向けて落下する。排水タンク１６に水が溜まった場合には、排水タンク１６を取り出して溜まった水を捨てることができる。
【００４４】
本実施の形態１においては、傘布１０ｅから吹き飛ばされた水滴を排水タンク１６に一旦溜めているが、配管を接続することで、水滴を溜めることなく排水できるようにしてもよい。排水タンク１６に溜まった水をわざわざ捨てる必要がなくなり、使い勝手を向上させることができる。
【００４５】
図１０は、図１に示すＣ−Ｃ線に沿う矢視断面図である。送気室９は、エアーを取り込むとともに、取り込んだエアーをノズル１４から噴出させるための空間である。送気室９は吸込風路１７とブロワ収容室１８とを有して構成されている。吸込風路１７とブロワ収容室１８との間は間仕切り９ａで隔てられている。
【００４６】
吸込風路１７には、エアー取込口１９が形成されている。エアー取込口１９を介して吸込風路１７と傘除水機１の外部とがつながっている。ブロワ３が運転状態となると、ブロワ３の作用により吸込風路１７内が負圧となり、エアー取込口１９から外気（エアー）が取り込まれる。
【００４７】
エアー取込口１９はエアーフィルタ（集塵手段）２０で覆われている。エアーフィルタ２０は、エアー取込口１９から取り込まれるエアーからゴミ等の異物を取り除き、傘除水機１内部の汚れや機器の故障を防止する。吸込風路１７の内側には吸音材２２が貼り付けられている。吸音材２２は、吸込風路１７を通過するエアーによって生じる騒音が外部に漏れるのを抑える。
【００４８】
ブロワ収容室１８は、ブロワ３を収容し、エアー取込口１９から取り込まれたエアーをノズル１４から噴出させる。間仕切り９ａには連通口９ｂが形成されている。連通口９ｂを介してブロワ収容室１８と吸込風路１７とがつながっている。
【００４９】
ブロワ３は、パッキン２３と防振部材２４とによって挟持されてブロワ収容室１８内に収容されている。ブロワ３の吸込口２１が連通口９ｂに対してパッキン２３を介して接続され、吸込口２１の反対側が防振部材２４を介してブロワ収容室１８の内壁に固定されている。
【００５０】
吸込口２１がパッキン２３を介して連通口９ｂに接続されているので、吸込口２１と連通口９ｂとの隙間からのエアー漏れを低減することができる。また、ブロワ３の運転による振動を、パッキン２３及び防振部材２４によって吸収するので、本体４に振動が伝わるのを防止し、騒音の発生を抑制することができる。
【００５１】
ブロワ３は、利用者が傘１０の石突１０ｃを石突保持部１１に挿入して運転スイッチ２５が動作することで運転状態となる。ブロワ３が運転状態となると、ブロワ３の内部に保持されたファン（図示せず）が回転し、吸込口２１からエアーが吸い込まれる。吸込口２１から吸込まれたエアーはブロワ収容室１８に開放された吐出口（図示せず）からブロワ収容室１８内に吐出される。ブロワ３から吐出されるエアーの量に比べてノズル１４の開口面積が狭いためからノズル１４からエアーが勢いよく噴出される。
【００５２】
次に、傘除水機１の動作手順について説明する。傘除水機１の利用者が、本体４に形成された前面の取出し開口７から、傘１０を下方から上方に移動させて傘１０の内側に遮蔽板１５を挿入するようにして閉じた状態の傘１０を挿入する。次に、挿入した傘１０を下方に移動させて傘１０の石突１０ｃを石突保持部１１に収める。
【００５３】
円筒形状の石突保持部１１により除水室８内の傘１０が垂直に位置決め支持されるとともに、石突保持部１１の荷重を検知した運転スイッチ２５が動作してブロワ３が運転状態となる。ブロワ３が運転状態となると、吸込口２１及び吸込風路１７を介して吸込口２１からエアーが吸込まれる。吸込口２１から吸込まれたエアーは、吐出口からブロワ収容室１８に吐出される。吐出口から吐出されたエアーは、ノズル１４から除水室８に噴出される。
【００５４】
ノズル１４から除水室８に噴出されたエアーは、傘１０の石突１０ｃ側から露先１０ｆ側に向くエアーの流れ（矢印Ｘの流れ）を形成する。ノズル１４から噴出されたエアーは、傘１０の石突１０ｃから露先１０ｆに至る過程で、傘布１０ｅのおもて面に付着した水滴を吹き飛ばす。
【００５５】
傘１０の石突１０ｃから露先１０ｆに至る過程で、傘布１０ｅのおもて面に付着した水滴を吹き飛ばした（除去した）エアーは露先１０ｆよりも下流で本体４の内側面６に衝突し、拡散される。内側面６に衝突して拡散したエアーのうち、傘１０の中心軸１０ｇに向かうエアー（矢印Ｙの流れ）は遮蔽板１５の誘導面１５ａに衝突し、傘１０の内側に導かれる（矢印Ｚの流れ）。
【００５６】
傘１０の内側に導かれたエアーにより、傘布１０ｅのたるみが広がる。傘布１０ｅのたるみが広がることで、その重なりも解消される。したがって、ノズル１４から噴出されたエアーが傘１０の石突１０ｃから露先１０ｆに至る過程で、傘布１０ｅに満遍なく当たりやすくなり、水滴の除去性能が向上する。
【００５７】
ノズル１４からエアーが噴出されている状態で、傘１０の手元１０ｂを回転させることで、傘布１０ｅ全体に付着した水滴をエアーで吹き飛ばすことができる。石突保持部１１で傘１０を垂直に位置決めして支持しているので、傘１０を回転させても傘１０の中心軸１０ｇの方向等はほとんど変化せず、良好な除水生能を維持できる。
【００５８】
傘１０の内側に導かれるエアーの風速や流れの向きは、傘布１０ｅの状態等により時系列的に変化する。傘１０の内側に導かれるエアーの時系列的な変化により、傘布１０ｅが振動する（はためく）。
【００５９】
この際、傘布１０ｅ上端部から水滴が離脱し、水滴が取出し開口７の方向にも飛散しようとするが、遮蔽板１５が傘布１０ｅの内側に挿入されているため、遮蔽板１５が本体４の正面から見て除水室８側にある傘布１０ｅを遮蔽する位置関係にあり、傘布１０ｅから飛散する水滴は遮蔽板１５の除水室８側の内面に付着し、取出し開口７から本体４の外側に水滴が飛散することを抑えることができる。
【００６０】
傘１０の長さが長い場合でも短い場合でも、遮蔽板１５が傘布１０ｅの内側に挿入されているので、遮蔽板１５と傘布１０ｅとの位置関係が変わらず、どちらの傘１０で除水を行っても、取出し開口７から本体４の外側に水滴が飛散するのを抑えることができる。
【００６１】
また、ノズル１４からエアーが傘１０に対して噴出されると、エアーによって親骨１０ｄと傘布１０ｅが内側に押し付けられる力が働くが、遮蔽板１５が傘１０の内側に挿入されているため、遮蔽板１５によって傘１０の親骨１０ｄが支えられるとともに、遮蔽板１５の円弧状断面形状によって隣り合う親骨１０ｄ間が広げられる作用があるため、エアーにより傘布１０ｅが内側に入り込んだり、傘布１０ｅが重なったりしにくくなり、最適な除水状態が維持されやすくなる。
【００６２】
また、遮蔽板１５が円弧状に形成されているため、遮蔽板１５が親骨１０ｄに引っ掛りにくくなる。また、遮蔽板１５が円弧状に形成されていることで、手元１０ｂを回す際に邪魔になりにくく、回転動作を妨げることがない。
【００６３】
水滴の除去が終了したら、利用者が傘１０を上方に移動させて石突保持部１１から抜くことにより石突保持部１１の荷重が除去されて運転スイッチ２５が解除され、ブロワ３が停止する。そして、傘１０を下方にずらすようにして傘１０を遮蔽板１５から抜きながら傘１０を取り出す。
【００６４】
なお、エアーが内側面６に衝突する際、又は、誘導面１５ａにより流れの向きを変更される際に、傘布１０ｅから除去された水滴はエアーから離脱するため、傘１０の内側に向かうエアーに水滴はほとんど含まれない。
【００６５】
以上の構成によれば、傘布１０ｅのおもて面から水滴を除去するエアーの流れと、傘布１０ｅのたるみを広げるエアーの流れを発生させるために別々のノズルや風路を設ける必要がなくなり、構造の簡単化、低コスト化を図ることができる。
【００６６】
また、遮蔽板１５で傘布１０ｅのたるみを広げるとともに、傘布１０ｅの水滴を除去した後のエアーをそのまま傘布１０ｅのたるみの重なり解消に用いるため、必要な風量が小さくなり、省電力化、低騒音化を図ることができる。また、遮蔽板１５で水滴を遮断することで、比較的短い傘１０を使用した場合でも水滴の外部への飛散をより確実に防止することができ、衛生的な傘除水機１を提供することができる。
【００６７】
実施の形態２．
図１１は、本発明の実施の形態２に係る傘除水機の石突保持部部分を拡大した部分拡大断面図である。実施の形態１と同様の構成については同様の符号を付し、詳細な説明は省略する。
【００６８】
本実施の形態２では、石突保持部１１が、その下部で回転軸１２を介して回転駆動手段１３に連設されている。回転駆動手段１３は０．１〜０．５ｒｐｓ程度の回転速度で回転軸１２及び石突保持部１１を回転させる。
【００６９】
また、回転駆動手段１３による回転トルクは、回転駆動する石突保持部１１を手で停止させられる程度の設定になっている。回転駆動手段１３は、例えばギヤードモーターなどで構成される。
【００７０】
回転駆動手段１３は、石突保持部１１近傍に設置されている運転スイッチ２５に連動して回転を開始する。したがって、傘１０の水滴の除去が終了して、利用者が傘１０を上方に移動させて石突保持部１１から抜くことで運転スイッチ２５が解除されると、回転が停止する。
【００７１】
以上の構成により、利用者は自らの手で傘１０を回す必要がなくなり、快適に傘除水機を使用することができる。特に、傘除水機の操作が簡単になることで、子供、高齢者にとっての負担を減らすことができる。
【産業上の利用可能性】
【００７２】
以上のように、本発明にかかる傘除水機は、傘に付着した水滴の除去に有用である。
【符号の説明】
【００７３】
１  傘除水機
３  ブロワ（送風手段）
４  本体
５  天板
６  内側面（エアー対向面）（エアー誘導部）
７  取出し開口（開口部）
８  除水室
９  送気室
９ａ  間仕切り
９ｂ  連通口
１０  傘
１０ａ  中棒
１０ｂ  手元
１０ｃ  石突
１０ｄ  親骨
１０ｅ  傘布
１０ｆ  露先
１０ｇ  中心軸
１１  石突保持部
１２  回転軸
１３  回転駆動手段
１４  ノズル（エアー噴出部）
１５  遮蔽板
１５ａ  誘導面
１６  排水タンク
１７  吸込風路
１８  ブロワ収容室
１９  エアー取込口
２０  エアーフィルタ
２１  吸込口
２２  吸音材
２３  パッキン
２４  防振部材
２５  運転スイッチ
Ｘ，Ｙ，Ｚ  矢印
【図１】
2011252664.tif 000003
【図２】
2011252664.tif 000004
【図３】
2011252664.tif 000005
【図４】
2011252664.tif 000006
【図５】
2011252664.tif 000007
【図６】
2011252664.tif 000008
【図７】
2011252664.tif 000009
【図８】
2011252664.tif 000010
【図９】
2011252664.tif 000011
【図１０】
2011252664.tif 000012
【図１１】
2011252664.tif 000013